(57)【要約】【課題】各放熱フィンを通過する風量の格差を少なくして電子機器等の発熱体を均等に冷却することができる冷却装置を提供する。【解決手段】冷却用空気を送りこむ送風口と、冷却用空気を排出する排気口と、送風口から排気口に冷却用空気が循環する冷却空洞部と、冷却用空洞部内にその一部が収納された、複数の放熱フィンからなるフィン列を備えて並列配置された複数の熱導体と、送風口からの冷却用空気の流れを規制する空気流規制部材とを備えた冷却装置。【選択図】図１
2006032475.tif 000002
【特許請求の範囲】
【請求項１】
冷却用空気を送りこむ送風口と、前記冷却用空気を排出する排気口と、前記送風口から前記排気口に冷却用空気が循環する冷却空洞部と、前記冷却用空洞部内にその一部が収納された、複数の放熱フィンからなるフィン列を備えて並列配置された複数の熱導体と、前記送風口からの冷却用空気の流れを規制する空気流規制部材とを備えた冷却装置。
【請求項２】
前記冷却用空洞部は、前記熱導体の前記その一部と少なくとも１つの発熱体が熱的に接続された他の部分との間が仕切り部材によって仕切られて形成されており、前記フィン列は、複数の前記放熱フィンが前記熱導体の短軸方向に沿って並列配置されて形成されており、前記フィン列の先端部が隣接する他の熱導体のフィン列の先端部と概ね接するように前記熱導体が並列に配置されており、前記送風口からの前記冷却用空気が前記放熱フィンの長軸方向に沿って循環する、請求項１に記載の冷却装置。
【請求項３】
前記空気流規制部材が前記送風口からの冷却用空気の一部を並列配置された前記熱導体の送風口から離れた所定位置のフィン列に移動させる補助ダクトからなっている、請求項２に記載の冷却装置。
【請求項４】
前記補助ダクトによって移動された冷却用空気によって送風口から離れた所定位置のフィン列から最遠端のフィン列の間を循環させ、前記補助ダクトを通らない前記送風口からの冷却用空気の一部によって前記補助ダクトの遠端部までのフィン列の間を循環させる、請求項３に記載の冷却装置。
【請求項５】
前記送風口の開口面積をαとするとき、前記補助ダクトの開口面積が０．３α〜０．７αの範囲内である、請求項４に記載の冷却装置。
【請求項６】
前記冷却用空洞部の全長をＬとするとき、前記補助ダクトの長さが０．４Ｌ〜０．６Ｌの範囲内である、請求項４または５に記載の冷却装置。
【請求項７】
前記空気流規制部材が、前記熱導体の上端部に配置されて、冷却用空気の各フィン列への流入を規制する板部材からなっている、請求項１または２に記載の冷却装置。
【請求項８】
前記冷却用空気が前記板部材の表面に沿って流れ、前記板部材によって規制された量の冷却用空気が対応するフィン列を流れる、請求項７に記載の冷却装置。
【請求項９】
前記板部材がスリットを備えた１つの板部材からなっている、請求項８に記載の冷却装置。
【請求項１０】
前記スリットの幅が送風口から最遠端のフィン列まで同一大きさである、請求項９に記載の冷却装置。
【請求項１１】
前記スリットの幅が排気口から遠ざかるに従って順次大きくなっている、請求項９に記載の冷却装置。
【請求項１２】
前記板部材が各熱導体の上端部に設けられた別個の板材からなっている、請求項８に記載の冷却装置。
【請求項１３】
前記別個の板材の間の間隔が送風口から最遠端のフィン列まで同一大きさである、請求項１２に記載の冷却装置。
【請求項１４】
前記別個の板材の間の間隔が排気口から遠ざかるに従って順次大きくなっている、請求項１２に記載の冷却装置。
【請求項１５】
前記熱導体が板状ヒートパイプからなっている、請求項１から１４の何れか１項に記載の冷却装置。
【発明の詳細な説明】
【技術分野】
【０００１】
本発明は、例えば自動車に搭載された多列に配置された複数個の電子機器等の冷却を行うための冷却装置に関する。
【背景技術】
【０００２】
近年、電気・電子機器装置においては、各種制御を行う各種のエレクトロニクス機器が搭載されており、エレクトロニクス機器は、マイクロプロセッサ等の高出力、高集積の部品を内蔵している。マイクロプロセッサは、集積度が極めて高くなり、高速で情報の演算、制御等の処理を行うので、多量の熱を放出する。これらの高出力かつ高集積の部品であるチップ等を冷却するために、各種の冷却システムが提案されてきた。
【０００３】
更に、自動車においては、その他に、電気自動車に搭載された二次電池等の充電放電時に発熱する装置を冷却するために、各種の冷却システムが提案されてきた。その代表的な冷却システムの１つとして、金属製の熱導体による熱移動およびヒートパイプによる熱移動がある。
金属製の熱導体は例えば熱伝導性に優れた銅板、アルミニウム板等が用いられる。発熱体からの熱を銅板、アルミニウム板によって熱移動し、熱的に接続された放熱フィンによって、所定の場所に放熱される。
ヒートパイプには、その形状において、丸パイプ形状のヒートパイプ、平面形状の板状ヒートパイプがある。複数個のセルを備えた二次電池等の被冷却部品の冷却用としては、個々のセルの発生する熱を放熱するために、広い接触面が得られることから、板状ヒートパイプが好んで用いられる。
【０００４】
更に、ヒートパイプは、被冷却部品の取り付け位置において、被冷却部品が上部に位置するトップヒートモードと被冷却部品が下部に位置するボトムヒートモードに区分される。ボトムヒートモードの場合、重力により液が還流するが、トップヒートモードの場合、重力に逆らって液を還流させなければならず、通常はウイックによる毛管現象を利用する。
ヒートパイプの内部には作動流体の流路となる空間が設けられ、その空間に収容された作動流体が、蒸発、凝縮等の相変化や移動をすることによって、熱の移動が行われる。
【０００５】
密封された空洞部を備え、その空洞部に収容された作動流体の相変態と移動により熱の移動が行われるヒートパイプの詳細は次の通りである。
ヒートパイプの吸熱側において、ヒートパイプを構成する容器の材質中を熱伝導して伝わってきた被冷却部品が発する熱を潜熱として吸収して、作動流体が蒸発し、その蒸気がヒートパイプの放熱側に移動する。放熱側においては、作動流体の蒸気は凝縮して潜熱を放出するとともに、再び液相状態に戻る。このように液相状態に戻った作動流体は再び吸熱側に移動（還流）する。このような作動流体の相変態や移動によって熱の移動が行われる。
重力式のヒートパイプにおいては、相変態によって液相状態になった作動流体は、重力によって、吸熱側に移動（還流）する。
【０００６】
図９は、従来の冷却装置を示す概念図（部分斜視図）である。図示しないが収容部１０３内には、複数の概ね矩形の板状ヒートパイプが、その短軸が垂直方向に沿って位置するように並列して配置されている。板状ヒートパイプの長軸方向の一方の端部には、図２に示すように、放熱部１０１が位置し、図示しない他方の端部には吸熱部が連接して設けられている。この吸熱部には例えば電子機器等の複数個の発熱体が取り付けられて、収容部１０３内に収容されている。
【０００７】
放熱部が位置する部分と、収容部は例えば隔壁によって分離されている。各々の板状ヒートパイプの放熱部１０１の両面には、多数の冷却フィン１０１ａが取り付けられている。上述したように、これら放熱部全体は、図示のように整列されて冷却空洞部１０２内部に収容されている。
冷却空洞部１０２は、空気が送り込まれる送風口２ａ及び冷却空洞部内を通過した空気が排出される排気口２ｂを備えており、これらの開口部がある部分以外は、閉鎖された空洞からなっている。
【０００８】
冷却風は矢印ａに示す様に、送風口２ａから冷却空洞部１０２の内部に送り込まれ、矢印ｂに示す様に各毎にほぼ直角に向きを変えて各冷却フイン１０１ａを吹き抜けて冷却した後に、矢印ｃに示す様に再びほぼ直角に向きを変えて最終的に排気口２ｂから冷却空洞部１０２の外部に排出される。
【０００９】
以上の様に、平面型ヒートパイプの放熱部１０１の各々に冷却風が送りこまれて、これらを冷却し、結果的には、板状ヒートパイプの放熱部１０１に連接された吸熱部に取り付けられた例えば電子機器等の発熱体を冷却する。なお、板型ヒートパイプを備えた冷却装置が特開平５−２７５５８４号公報に開示されている。
【特許文献１】特開平５−２７５５８４号公報
【発明の開示】
【発明が解決しようとする課題】
【００１０】
図９において、各冷却フィン１０１ａを吹き抜ける冷却風（矢印ｂ）は、送風口２ａに近い側の冷却フィン１０１ａでは強く吹き抜けるが、送風口２ａから遠い側の冷却フィン１０１ａではきわめて弱くなる。
この理由は、冷却風に対する抵抗（風損）が、送風口２ａから排気口２ｂまでの冷却風が通り抜ける距離の大きさに従うためで、当然ながら送風口２ａに近い（＝排気口２ｂ）に近い側では風損が小さく、遠い側では風損が大きくなるためである。
【００１１】
この結果として、送風口２ａに近い（＝排気口２ｂに近い）側の冷却フィン１０１ａの冷却効率は大きく、遠い側の冷却フィン１０１ａの冷却効率は小さくなり、状況により、その差異が１０倍以上に及ぶことがある。従って、複数の発熱体の全てを効率よく冷却することができないという致命的な問題がある。
【００１２】
従って、この発明の目的は、各放熱フィンを通過する風量の格差を少なくして電子機器等の発熱体を均等に冷却することができる冷却装置を提供することにある。
【課題を解決するための手段】
【００１３】
本発明者は、上述した従来技術の問題点を解決すべく鋭意研究を重ねた。その結果、送風口からの冷却用空気の流れを規制する空気流規制部材、例えば、送風口からの冷却用空気の一部を並列配置された前記熱導体の送風口から離れた所定位置のフィン列に移動させる筒状の補助ダクトを使用することによって、冷却用空気の一部を送風口から離れた位置のフィン列に送り込むので、送風口の近くのフィン列を通過する冷却用空気の量を減少し、送風口から遠い位置のフィン列を通過する冷却用空気の量を増加させることができ、各放熱フィンを通過する風量の格差を少なくして発熱体を均等に冷却することができることが判明した。
【００１４】
更に、空気流規制部材として、熱導体の上端部に配置されて、冷却用空気の各フィン列への流入を規制する板部材を使用することによって、送風口の近くのフィン列を通過する冷却用空気の量を減少し、送風口から遠い位置のフィン列を通過する冷却用空気の量を増加させることができ、各放熱フィンを通過する風量の格差を少なくして発熱体を均等に冷却することができることが判明した。
【００１５】
この発明は、上記研究結果に基づいてなされたものであって、この発明の冷却装置の第１の態様は、冷却用空気を送りこむ送風口と、前記冷却用空気を排出する排気口と、前記送風口から前記排気口に冷却用空気が循環する冷却空洞部と、前記冷却用空洞部内にその一部が収納された、複数の放熱フィンからなるフィン列を備えて並列配置された複数の熱導体と、前記送風口からの冷却用空気の流れを規制する空気流規制部材とを備えた冷却装置である。
【００１６】
この発明の冷却装置の第２の態様は、前記冷却用空洞部は、前記熱導体の前記その一部と少なくとも１つの発熱体が熱的に接続された他の部分との間が仕切り部材によって仕切られて形成されており、前記フィン列は、複数の前記放熱フィンが前記熱導体の短軸方向に沿って並列配置されて形成されており、前記フィン列の先端部が隣接する他の熱導体のフィン列の先端部と概ね接するように前記熱導体が並列に配置されており、前記送風口からの前記冷却用空気が前記放熱フィンの長軸方向に沿って循環する、冷却装置である。
【００１７】
この発明の冷却装置の第３の態様は、前記空気流規制部材が前記送風口からの冷却用空気の一部を並列配置された前記熱導体の送風口から離れた所定位置のフィン列に移動させる補助ダクトからなっている、冷却装置である。
【００１８】
この発明の冷却装置の第４の態様は、前記補助ダクトによって移動された冷却用空気によって送風口から離れた所定位置のフィン列から最遠端のフィン列の間を循環させ、前記補助ダクトを通らない前記送風口からの冷却用空気の一部によって前記補助ダクトの遠端部までのフィン列の間を循環させる、冷却装置である。
【００１９】
この発明の冷却装置の第５の態様は、前記送風口の開口面積をαとするとき、前記補助ダクトの開口面積が０．３α〜０．７αの範囲内である、冷却装置である。
【００２０】
この発明の冷却装置の第６の態様は、前記冷却用空洞部の全長をＬとするとき、前記補助ダクトの長さが０．４Ｌ〜０．６Ｌの範囲内である、冷却装置である。
【００２１】
この発明の冷却装置の第７の態様は、前記空気流規制部材が、前記熱導体の上端部に配置されて、冷却用空気の各フィン列への流入を規制する板部材からなっている、冷却装置である。
【００２２】
この発明の冷却装置の第８の態様は、前記冷却用空気が前記板部材の表面に沿って流れ、前記板部材によって規制された量の冷却用空気が対応するフィン列を流れる、冷却装置である。
【００２３】
この発明の冷却装置の第９の態様は、前記板部材がスリットを備えた１つの板部材からなっている、冷却装置である。
【００２４】
この発明の冷却装置の第１０の態様は、前記スリットの幅が送風口から最遠端のフィン列まで同一大きさである、冷却装置である。
【００２５】
この発明の冷却装置の第１１の態様は、前記スリットの幅が排気口から遠ざかるに従って順次大きくなっている、冷却装置である。
【００２６】
この発明の冷却装置の第１２の態様は、前記板部材が各熱導体の上端部に設けられた別個の板材からなっている、冷却装置である。
【００２７】
この発明の冷却装置の第１３の態様は、前記別個の板材の間の間隔が送風口から最遠端のフィン列まで同一大きさである、冷却装置である。
【００２８】
この発明の冷却装置の第１４の態様は、前記別個の板材の間の間隔が排気口から遠ざかるに従って順次大きくなっている、冷却装置である。
【００２９】
この発明の冷却装置の第１５の態様は、前記熱導体が板状ヒートパイプからなっている、冷却装置である。
【発明の効果】
【００３０】
この発明によると、送風口の近くのフィン列を通過する冷却用空気の量を減少し、送風口から遠い位置のフィン列を通過する冷却用空気の量を増加させることができ、各放熱フィンを通過する風量の格差を少なくして発熱体を均等に冷却することができる冷却装置を提供することができる。
【発明を実施するための最良の形態】
【００３１】
この発明の冷却装置および冷却方法を図面を参照しながら詳細に説明する。
この発明の冷却装置の１つの態様は、冷却用空気を送りこむ送風口と、冷却用空気を排出する排気口と、送風口から排気口に冷却用空気が循環する冷却空洞部と、冷却用空洞部内にその一部が収納された、複数の放熱フィンからなるフィン列を備えて並列配置された複数の熱導体と、送風口からの冷却用空気の流れを規制する空気流規制部材とを備えた冷却装置である。
空気流規制部材は、例えば、記送風口からの冷却用空気の一部を並列配置された熱導体の送風口から離れた所定位置のフィン列に移動させる補助ダクトからなっている。空気流規制部材は、例えば、熱導体の上端部に配置されて、冷却用空気の各フィン列への流入を規制する板部材からなっていてもよい。熱導体は、ヒートパイプからなっていてもよい。
【００３２】
自動車に搭載される冷却装置は、灼熱・極寒の地で過酷な条件下において使用される場合においても、その機能を停止することは許されず、極めて高い信頼性が要求される。特に、二次電池等の冷却においては、その作動環境における温度条件は厳しく制限され、冷却の不具合が発生すると、被冷却部品である二次電池のセルを損傷してしまうという重大な問題を生じる。この発明の冷却装置は、このような過酷な条件下においても高い信頼性を備えることが要求される。
【００３３】
図１は、この発明の冷却装置の１つの態様を示す概念図（部分斜視図）である。
図示しないが収容部３内には、複数の概ね矩形の熱導体、例えば板状ヒートパイプが、その短軸が垂直方向に沿って位置するように並列して配置されている。板状ヒートパイプの長軸方向の一方の端部には、図１に示すように、放熱部１が位置し、図示しない他方の端部には吸熱部が連接して設けられている。この吸熱部には例えば電子機器等の複数個の発熱体が取り付けられて、収容部３内に収容されている。
【００３４】
放熱部１が位置する部分２と、収容部３は例えば隔壁によって分離されている。各々の板状ヒートパイプの放熱部１の両面には、多数の冷却フィン１ａが取り付けられてフィン列を形成している。上述したように、これら放熱部全体は、図示のように整列されて冷却空洞部２内部に収容されている。
冷却空洞部２は、空気が送り込まれる送風口２ａ及び冷却空洞部内のフィン列の間を通過した空気が排出される排気口２ｂを備えており、これらの開口部がある部分以外は、閉鎖された空洞からなっている。
【００３５】
この発明の冷却装置は、更に、送風口からの冷却用空気の一部を並列配置された熱導体の送風口から離れた所定位置のフィン列に移動させる筒状の補助ダクト４を備えている。
冷却風は矢印ａに示す様に、送風口２ａから冷却空洞部２の内部に送り込まれる。冷却風の一部は、補助ダクト４内を矢印ａ−１に示すように進み、送風口から遠くに位置する熱導体に取り付けられたフィン列に送り込まれる。フィン列に送り込まれた冷却風は、ほぼ直角に向きを変えて各冷却フイン１ａを吹き抜けて冷却した後に、矢印ｃ−１に示す様に再びほぼ直角に向きを変えて最終的に排気口２ｂから冷却空洞部の外部に排出される。
冷却風の残りは、補助ダクトの外側を矢印ａ−２に示すように進み、送風口の近くに位置する熱導体に取り付けられたフィン列に送り込まれる。フィン列に送り込まれた冷却風は、ほぼ直角に向きを変えて各冷却フイン１ａを吹き抜けて冷却した後に、矢印ｃ−２に示す様に再びほぼ直角に向きを変えて、送風口から遠くに位置するフィン列を吹きぬけた冷却風と共に最終的に排気口２ｂから冷却空洞部の外部に排出される。
【００３６】
上述したように、送風口から吹き込まれる冷却風は、その一部が送風口から遠くに位置するフィン列に補助ダクトによって送り込まれ、残りの部分が送風口の近くに位置するフィン列に送りこまれるので、送風口の近くのフィン列を通過する冷却用空気の量を相対的に減少し、送風口から遠い位置のフィン列を通過する冷却用空気の量を相対的に増加させることができ、各放熱フィンを通過する風量の格差を少なくして発熱体を均等に冷却することができる。
即ち、送風ダクトを改良して、各放熱フィンを吹き抜ける冷却風を、送風口に近い側と遠い側とで均一にして、それぞれの放熱フィンの冷却効率を均一にする。
以上の様に、平面型ヒートパイプの放熱部１の各々に冷却風が送りこまれて、これらを冷却し、結果的には、板状ヒートパイプの放熱部１に連接された吸熱部に取り付けられた例えば電子機器等の発熱体を冷却する。
【００３７】
上述したように、各放熱フィンを吹き抜ける冷却風を、送風口に近い側と遠い側とで均一にする、即ち、補助ダクトによって移動された冷却用空気によって送風口から離れた所定位置のフィン列から最遠端のフィン列の間を循環させ、補助ダクトを通らない送風口からの冷却用空気の一部によって補助ダクトの遠端部までのフィン列の間を循環させるためには、冷却用空洞部の全長をＬとするとき、補助ダクトの長さが０．４Ｌ〜０．６Ｌの範囲内であることが必要である。
【００３８】
補助ダクトの長さが０．４Ｌ未満では、送風口から遠く位置するフィン列の間に冷却用空気を充分に送り込むことができず、風損の均一化による熱導体の均一な冷却が困難になる。更に、補助ダクトの長さが０．６Ｌを超えると、送風口から近くに位置するフィン列の間を通過させる冷却用空気の量が不十分になり、風損の均一化による熱導体の均一な冷却が困難になる。
【００３９】
更に、上述した均一な冷却を行うためには、送風口の開口面積をαとするとき、補助ダクトの開口面積が０．３α〜０．７αの範囲内であることが必要である。
補助ダクトの開口面積が０．３α未満の場合には、送風口から遠く位置するフィン列の間に冷却用空気を充分に送り込むことができず、風損の均一化による熱導体の均一な冷却が困難になる。補助ダクトの開口面積が０．７αを超えると、送風口から近くに位置するフィン列の間を通過させる冷却用空気の量が不十分になり、風損の均一化による熱導体の均一な冷却が困難になる。  
【００４０】
この発明の冷却装置の他の態様は、空気流規制部材が、熱導体の上端部に配置されて、冷却用空気の各フィン列への流入を規制する板部材からなっている、冷却装置である。即ち、冷却用空気が板部材の表面に沿って流れ、板部材によって規制された量の冷却用空気が対応するフィン列を流れる、冷却装置である
図２は、この発明の冷却装置の他の１つの態様を示す概念図（部分斜視図）である。図２に示すように、複数の概ね矩形の熱導体が、その短軸が垂直方向に沿って位置するように並列して配置されている。熱導体の長軸方向の一方の端部には、放熱部１が位置し、図示しない他方の端部には吸熱部が連接して設けられている。この吸熱部には例えば電子機器等の複数個の発熱体が取り付けられて、収容部３内に収容されている。
【００４１】
他の態様に関して説明したように、放熱部１が位置する部分２と、収容部３は例えば隔壁によって分離されている。各々の熱導体の放熱部１の両面には、多数の冷却フィン１ａが取り付けられてフィン列を形成している。これら放熱部全体は、図に示すように整列されて冷却空洞部２内部に収容されている。
冷却空洞部２は、空気が送り込まれる送風口２ａ及び冷却空洞部内のフィン列の間を通過した空気が排出される排気口２ｂを備えており、これらの開口部がある部分以外は、閉鎖された空洞からなっている。
【００４２】
この態様の冷却装置は、更に空気流規制部材を備えており、空気流規制部材が熱導体の上端部に配置されて、冷却用空気の各フィン列への流入を規制する板部材からなっている。即ち、熱導体１の上端部には、概ね同一大きさの板部材５が配置されている。隣接する板部材間には所定の間隙が設けられており、送風口から吹き込まれた冷却用空気が板部材の表面に沿って進み、各間隙６を通ってフィン列を通過する。
即ち、冷却風は矢印ａに示す様に、送風口２ａから冷却空洞部２の内部に送り込まれる。冷却風は矢印ａ−１に示すように板部材５の表面に沿って進み、一部が矢印ｂ−１に示すようにほぼ直角に向きを変えて第１の板部材と隣接する第２の板部材の間の間隙を通って垂直方向に各冷却フイン１ａを吹き抜けて冷却した後に、更に、矢印ｃ−１に示すように直角方向に向きを変えて最終的に排気口２ｂから冷却空洞部の外部に排出される。
【００４３】
冷却風の残りは、更に板部材５の表面に沿って進み、上述したと同様にその一部がほぼ直角に向きを変えて第１の板部材と隣接する第２の板部材の間の間隙を通って垂直方向に各冷却フイン１ａを吹き抜けて冷却した後に、更に、直角方向に向きを変えて排気口２ｂから冷却空洞部の外部に排出される。
このように空気の流れが、板部材およびその間に設けられた間隙によって規制されているので、送風口の近くのフィン列を通過する冷却用空気の量を相対的に減少し、送風口から遠い位置のフィン列を通過する冷却用空気の量を相対的に増加させることができ、各放熱フィンを通過する風量の格差を少なくして発熱体を均等に冷却することができる。
【００４４】
図３は、この発明の冷却装置の他の１つの態様を示す概念図（部分斜視図）である。他の態様において説明したと同様に、複数の概ね矩形の熱導体が、その短軸が垂直方向に沿って位置するように並列して配置されている。熱導体の長軸方向の一方の端部には、放熱部１が位置し、図示しない他方の端部には吸熱部が連接して設けられている。この吸熱部には例えば電子機器等の複数個の発熱体が取り付けられて、収容部３内に収容されている。
【００４５】
放熱部１各々の熱導体の放熱部１の両面取り付けられた多数の冷却フィン１ａからなるフィン列、空気が送り込まれる送風口２ａ及び冷却空洞部内のフィン列の間を通過した空気が排出される排気口２ｂを備える冷却空洞部２は、上述した態様と同じである。
【００４６】
この態様の冷却装置においては、上述した空気流規制部材としての板部材がスリットを備えた１つの板部材からなっている。即ち、熱導体１の上端部には、概ね同一大きさの複数のスリット８を備えた１つの板部材７が配置されている。送風口から吹き込まれた冷却用空気が板部材の表面に沿って進み、各スリット８を通ってフィン列１ａを通過する。
即ち、冷却風は矢印ａに示す様に、送風口２ａから冷却空洞部２の内部に送り込まれる。冷却風は矢印ａ−１に示すように板部材７の表面に沿って進み、一部が矢印ｂ−１に示すようにほぼ直角に向きを変えて第１のスリットを通って垂直方向に各冷却フイン１ａを吹き抜けて冷却した後に、更に、矢印ｃ−１に示すように直角方向に向きを変えて排気口２ｂから冷却空洞部の外部に排出される。
【００４７】
冷却風の残りは、更に板部材７の表面に沿って進み、上述したと同様にその一部がほぼ直角に向きを変えて第２のスリット８を通って垂直方向に各冷却フイン１ａを吹き抜けて冷却した後に、更に、直角方向に向きを変えて排気口２ｂから冷却空洞部の外部に排出される。
このように空気の流れが、板部材およびそれに設けられた複数のスリットによって規制されているので、送風口の近くのフィン列を通過する冷却用空気の量を相対的に減少し、送風口から遠い位置のフィン列を通過する冷却用空気の量を相対的に増加させることができ、各放熱フィンを通過する風量の格差を少なくして発熱体を均等に冷却することができる。
【００４８】
図４は、この発明の冷却装置の他の１つの態様を示す概念図（部分斜視図）である。他の態様において説明したと同様に、複数の概ね矩形の熱導体が、その短軸が垂直方向に沿って位置するように並列して配置されている。熱導体の長軸方向の一方の端部には、放熱部１が位置し、図示しない他方の端部には吸熱部が連接して設けられている。この吸熱部には例えば電子機器等の複数個の発熱体が取り付けられて、収容部３内に収容されている。
【００４９】
放熱部１各々の熱導体の放熱部１の両面取り付けられた多数の冷却フィン１ａからなるフィン列、空気が送り込まれる送風口２ａ及び冷却空洞部内のフィン列の間を通過した空気が排出される排気口２ｂを備える冷却空洞部２は、上述した態様と同じである。
【００５０】
この態様の冷却装置においては、上述した空気流規制部材としての板部材が大きさ（幅）の異なるスリットを備えた１つの板部材からなっている。即ち、熱導体１の上端部には、送風口から遠ざかるに従って順次その幅が大きくなる複数のスリット１１備えた１つの板部材１０が配置されている。送風口から吹き込まれた冷却用空気が板部材の表面に沿って進み、各スリット１１を通ってフィン列１ａを通過する。
即ち、冷却風は矢印ａに示す様に、送風口２ａから冷却空洞部２の内部に送り込まれる。冷却風は矢印ａ−１に示すように板部材１０の表面に沿って進み、一部が矢印ｂ−１に示すようにほぼ直角に向きを変えて第１のスリットを通って垂直方向に各冷却フイン１ａを吹き抜けて冷却した後に、更に、矢印ｃ−１に示すように直角方向に向きを変えて排気口２ｂから冷却空洞部の外部に排出される。
【００５１】
冷却風の残りは、更に板部材１０の表面に沿って進み、上述したと同様にその一部がほぼ直角に向きを変えて第２のスリット１１を通って垂直方向に各冷却フイン１ａを吹き抜けて冷却した後に、更に、直角方向に向きを変えて排気口２ｂから冷却空洞部の外部に排出される。
このように空気の流れが、板部材およびそれに設けられた送風口から遠ざかるに従って順次その幅が大きくなる複数のスリットによって規制されているので、送風口の近くのフィン列を通過する冷却用空気の量を相対的に減少し、送風口から遠い位置のフィン列を通過する冷却用空気の量を相対的に増加させることができ、各放熱フィンを通過する風量の格差を少なくして発熱体を均等に冷却することができる。
【００５２】
図５は、熱導体とその上端部に設けられる板部材（仕切板）の間隙またはスリットを示す模式的断面図である。図５（ａ）は、熱導体と隣接する熱導体の間に１つの間隙またはスリットを設けた状態を説明する図である。図５（ａ）に示すように、両面に複数の放熱フィンが並列配置された熱導体と隣接する熱導体との間に仕切板によって作成された間隙またはスリットは１つの風の通路を形成している。図５（ａ）に示された態様においては、風の通路は同一幅となるように形成されている。
【００５３】
図５（ｂ）は、熱導体と隣接する熱導体の間に複数の間隙またはスリットを設けた状態を説明する図である。図５（ｂ）に示すように、両面に複数の放熱フィンが並列配置された熱導体と隣接する熱導体との間に仕切板によって作成された間隙またはスリットは複数の風の通路を形成している（この場合は、熱導体間にそれぞれ４つの風の通路を形成している）。図５（ｂ）に示された態様においても、風の通路は同一幅となるように形成されている。なお、風の通路のサイズ、通路の数によって、最適な風の通路の幅は変化する。図５（ｃ）は、熱導体と隣接する熱導体の間に幅の異なる間隙またはスリットを設けた状態を説明する図である。図５（ｃ）において、送風口は図の右側にあり、矢印の方向に冷却用空気が進む。送風口に最も近い熱導体とそれに隣接する熱導体の間の風の通路の幅が最も小さく、送風口から遠ざかるに従って、順次、風の通路の幅が大きくなるように間隙またはスリットが設けられる。即ち、送風口に近い風の通路は狭く、遠くなるほど広くなるように設置される。
【００５４】
図６は、送風口および排気口の位置を示す図である。図６（ａ）に示すように、一方の端部に送風口および排気口を共に設けてもよい。図６（ｂ）に示すように、一方の端部に送風口、他方の端部に排気口を設けてもよい。
図６（ｂ）に示すように、一方の端部に送風口、他方の端部に排気口を設ける場合には、スリットは、図５（ｄ）に示すように設ける。即ち、図５（ｄ）に示すように、送風口から排気口に向かって冷却用空気が流れる。その際、送風口から排気口に向かって風の通路の幅が次第に狭くなっている。この態様においては、送風口から排気口への直進通路を通る風が量的に多くなりがちとなるので、送風口近傍のスリット（風の通路）の幅を大きくして、流入空気の源で風量の分散化を図っている。その結果、冷却用空気の大部分が送風口から排気口への直進通路を通過するのではなく、設定された風の通路を必要な量の風が流れ、冷却効率を高めることができる。
熱導体は、板状ヒートパイプであってもよい。板状ヒートパイプは、例えば、２枚の銅板によって形成された密閉された空洞部を備える銅製コンテナからなっている。銅製コンテナの内部には、ウイックおよび作動液としての水が、脱ガス処理後に封入されている。２枚の銅板の四周を囲む周辺部は、シーム溶接によって水密に接合されている。一方の板材で他方の板材の周辺部を挟み込んでカシメ等によって機械的に接合してもよい。
【００５５】
ウイックは、例えば、コルゲート状のウイックからなっている。コルゲート状のウイックの上端部および下端部には、切り込み部が形成されている。ウイックの形状はこの形状に限定されることはない。即ち、ウイックは、２枚の銅薄板によって形成されたコンテナ内の作動液の移動を容易にするために、毛管力を高める働きをする、銅板と鋭角を形成する部分が存在する形状が好ましい。更に、コンテナ内の作動液の相変化に伴う圧力変化に対してコンテナの形状を維持できるような、所望の強さを備えていることが好ましい。ウイックは、コンテナの長軸方向および短軸方向の何れの方向に沿った移動ができることが好ましく。ウイックの形状の設定に当たっては、作動液の移動方向の自由を考慮する。
【００５６】
更に、密閉された空洞部を備える内層としての銅薄板材および外層としての別の金属板材の２重構造からなるコンテナと、その内部に収納されるウイックおよび作動液としての水とを備えていてもよい。例えば、銅およびアルミニウムのクラッドを用い、銅が内層に、アルミニウムが外層になるように、２枚のクラッド材を使用して、コンテナ部分を形成する中央部を凸形状に突出させ、平らな周辺部をあわせて、空洞部を形成し、周辺部を水密に接合する。クラッド材でなくても、別々に対応する形状の板材を準備し、銅が内層に、アルミニウムが外層になるように接着材等によって接合して使用してもよい。
【００５７】
なお、放熱フィンは、銅薄板またはアルミニウム薄板で形成されている。その他の熱伝導性に優れた金属製板材で形成されてもよい。必要な放熱面積を得るために放熱フィンを多段、例えば４層に配置してもよい。
【実施例】
【００５８】
図２に示す態様の冷却装置、図４に示す態様の冷却装置および図９に示す従来の冷却装置について、送風口からの距離と各板状ヒートパイプの間の風量の変化を調べた。即ち、図２に示す態様においては、板状ヒートパイプの上端部には、概ね同一大きさの仕切板が複数枚配置されている。隣接する仕切板間には同一のの間隙が設けられており、送風口から吹き込まれた冷却用空気が仕切板の表面に沿って進み、各間隙を通ってフィン列を通過する。図４に示す態様においては、板状ヒートパイプの上端部には、送風口から遠ざかるに従って順次その幅が大きくなる複数のスリットを備えた１つの板部材が配置されている。送風口から吹き込まれた冷却用空気が板部材の表面に沿って進み、各スリットを通ってフィン列を通過する。従来の冷却装置においては、上述した空気流規制部材を備えていない。
その結果を図７に示す。図７において、縦軸は風量を、横軸は送風口からの距離をそれぞれ示す。従来の冷却装置においては、送風口の近くでは風量が著しく多く、送風口から概ね１／３のところまで急激に風量が低下し、空洞部の概ね半分の距離で殆ど風量がなくなっている。即ち、送風口から遠い位置の板状ヒートパイプには、吹き込まれた冷却用空気が殆ど到達しないことがわかる。これに対して、図２に示す態様のこの発明の冷却装置および図４に示す態様のこの発明の冷却装置においては、送風口の近くの板状ヒートパイプにも、送風口から遠くに位置する板状ヒートパイプにも概ね同一風量が確保されていることがわかる。
【００５９】
次に、図２に示す態様の冷却装置、図４に示す態様の冷却装置および図９に示す従来の冷却装置について、仕切板の開口率と各板状ヒートパイプ間の風量の差を調べた。その結果を図８に示す。仕切板の開口率は、従来の冷却装置における、冷却用空気が通過することができるフィンの間の風の通路の断面積を１００％とするときの、それぞれの態様における風の通路の断面積の割合をいう。各板状ヒートパイプ間の風量の差は、図７に示した最大値と最小値の差をいう。図８に示すように、従来の冷却装置においては、各板状ヒートパイプ間の風量の差が極めて大きいことがわかる。これに対して、図２に示す態様のこの発明の冷却装置および図４に示す態様のこの発明の冷却装置においては、各板状ヒートパイプ間の風量の差が非常に小さいことがわかる。更に、図４に示す態様のこの発明の冷却装置においては、開口率が大きいままで、風量の均一化が可能である。
【産業上の利用可能性】
【００６０】
この発明によると、各放熱フィンを通過する風量の格差を少なくして電子機器等の発熱体を均等に冷却することができる冷却装置を提供することができ、産業上利用価値が高い。
【図面の簡単な説明】
【００６１】
【図１】図１は、この発明の冷却装置の１つの態様を示す概念図（部分斜視図）である。
【図２】図２は、この発明の冷却装置の他の１つの態様を示す概念図（部分斜視図）である。
【図３】図３は、この発明の冷却装置の他の１つの態様を示す概念図（部分斜視図）である。
【図４】図４は、この発明の冷却装置の他の１つの態様を示す概念図（部分斜視図）である。
【図５】図５は、熱導体とその上端部に設けられる板部材（仕切板）の間隙またはスリットを示す模式的断面図である。
【図６】図６は、送風口および排気口の位置を示す図である。
【図７】図７は、送風口からの距離と各板状ヒートパイプの間の風量の変化を示すグラフである。
【図８】図８は、仕切板の開口率と各板状ヒートパイプ間の風量の差を示すグラフである。
【図９】図９は、従来の冷却装置を示す概念図（部分斜視図）である。
【符号の説明】
【００６２】
・  熱導体（板状ヒートパイプ）
１ａ．放熱フィン
・  空洞部
２ａ．送風口
２ｂ．排気口
・  収容部
・  補助ダクト
５．板部材（仕切板）
・  間隙
７、１０．板部材
８、１１．スリット
１０１．熱導板（板状ヒートパイプ）
１０１ａ．冷却フィン
１０２．冷却空洞部
【図１】
2006032475.tif 000003
【図２】
2006032475.tif 000004
【図３】
2006032475.tif 000005
【図４】
2006032475.tif 000006
【図５】
2006032475.tif 000007
【図６】
2006032475.tif 000008
【図７】
2006032475.tif 000009
【図８】
2006032475.tif 000010
【図９】
2006032475.tif 000011